【事件の表示】
　特願２００７−２７９０７１「風鈴および風鈴を取り付けた冷房装置」拒絶査定不服審判事件〔平成２１年　５月２１日出願公開、特開２００９−１０９５７１〕について、次のとおり審決する。
【結　論】
　本件審判の請求は、成り立たない。
【理　由】
第１　手続の経緯 
　本願は、平成１９年１０月２６日の出願であって、平成２４年８月７日付けで拒絶理由が通知され、同年１０月１２日付けで手続補正がされたが、同年１２月３日付けで拒絶査定がなされ、これに対し、平成２５年３月７日に拒絶査定不服の審判が請求されるとともに、同日付けで手続補正がされ、同年４月１５日付けで審尋がなされ、同年６月１８日に回答書が提出されたものである。 
 　 
第２　補正却下の決定 
［補正却下の決定の結論］ 
　平成２５年３月７日付けの手続補正を却下する。 
　
［理由］ 
１．本願発明と補正後の発明 
　上記手続補正（以下、「本件補正」という。）は本件補正前の平成２４年１０月１２日付け手続補正書の特許請求の範囲の請求項１に記載された 
　
　「送風部（１２）を有する送風器具（１１）に取り付け可能な風鈴であって、
屈曲自在な腕部（１）と、該腕部（１）の一端に設けられ前記送風器具（１１）に固定可能な取付部（２）と、前記腕部（１）の他端に設けられる鈴部（３）と、からなり、
前記腕部（１）が、前記鈴部（３）を前記送風部（１２）の正面に位置させることができ、
前記鈴部（３）は、振動して音を発生する発音部（４）と、当該発音部（４）を打撃して振動させる打撃部（５）と、風を受けて当該打撃部（５）を揺動させる風受け部（６）とからなり、
前記送風部（１２）からの送風の有無又は強弱により前記風受け部（６）が受ける風力が変化することで風鈴の鳴る音の有無又は変化にて送風器具（１１）の作動状態を判別する方法。」 
　
という発明（以下、「本願発明」という。）を、 
　
　「エアコンの送風部（１２）に取り付ける風鈴であって、
屈曲自在な腕部（１）と、該腕部（１）の一端に設けられ前記エアコンに固定可能な取付部（２）と、前記腕部（１）の他端に設けられる鈴部（３）と、からなり、
前記腕部（１）が、前記鈴部（３）を前記送風部（１２）の正面に位置させることができ、
前記鈴部（３）は、振動して音を発生する発音部（４）と、当該発音部（４）を打撃して振動させる打撃部（５）と、風を受けて当該打撃部（５）を揺動させる風受け部（６）とからなり、
前記送風部（１２）からの送風の有無又は強弱により前記風受け部（６）が受ける風力が変化することで風鈴の鳴る音の有無又は変化にてエアコンの作動頻度又は作動の有無を判別する方法。」
　
という発明（以下、「補正後の発明」という。）に変更することを含むものである。 
　
２．新規事項の有無、補正の目的要件について 
　本件補正は、願書に最初に添付した明細書、特許請求の範囲又は図面に記載した事項の範囲内において、補正前の特許請求の範囲の請求項１に記載された、「送風部（１２）を有する送風器具（１１）」に関し、「エアコンの送風部（１２）」と限定し、また、「送風器具（１１）の作動状態」に関し、「エアコンの作動頻度又は作動の有無」と限定して、特許請求の範囲を減縮するものであるから、特許法第１７条の２第３項（新規事項）及び特許法第１７条の２第５項第２号（補正の目的）の規定に適合している。 
　
３．独立特許要件について 
　本件補正は特許請求の範囲の減縮を目的とするものであるから、上記補正後の発明が特許出願の際独立して特許を受けることができるものであるのかどうかについて以下に検討する。 
　
（１）補正後の発明 
　上記「１．本願発明と補正後の発明」の項で補正後の発明として認定したとおりである。 
　
（２）引用発明 
Ａ　原審の拒絶理由に引用された特開２００４−５５３６０号公報（以下、「引用例１」という。）には、図面とともに以下の事項が記載されている。 
　
イ．「【０００１】
【発明の属する技術分野】
本発明は、視覚的及び嗅覚的な演出を行う照明装置に関するものである。」（３頁）
　
ロ．「【００３２】
（実施形態２）
本発明の実施形態２を図４及び図５を参照して説明する。本実施形態では、実施形態１で説明した照明装置Ａにおいて、表面に複数の開口１４ａが形成され内部に芳香剤を収納する芳香剤収納部１４を筐体１０の上部に設けるとともに、エアーコンディショナー３０又は扇風機３１のような空調機から送風される空気の当たる場所に配置されるように筐体１０を空調機に取り付けるための取付具１５（取付手段）を設けている。尚、芳香剤収納部１４及び取付具１５以外の構造及び回路構成は実施形態１と同様であるので、同一の構成要素には同一の符号を付してその説明は省略する。
【００３３】
筐体１０は取付具１５の先端を空調機に引っ掛けることで、空調機に取り付けられており、筐体１０を空調機から送風される空気の当たる場所に配置しているので、開口１４ａを通って芳香剤収納部１４の内部を空気が通り抜けることで、芳香剤収納部１４内に収納された芳香剤に空気を当てて、芳香剤の気化を促進することができ、また芳香剤の香りを風にのせて運ぶことで、部屋全体に短時間で芳香を行き渡らせることができる。部屋の容積が大きい場合、香りの自然拡散だけでは部屋全体に香りを行き渡らせるのに時間がかかるが、本実施形態では空調機による強制対流を利用することで、芳香剤の香りを短時間で部屋全体に行き渡らせることができる。
【００３４】
また、実施形態１で説明したように、筐体１０の内部に配置した３色の発光ダイオードＬＥＤＲ，ＬＥＤＧ，ＬＥＤＢの光で筐体１０の全体を芳香剤の香りに合わせた色で光らせることができ、香りによる演出効果と照明による演出効果とを同時に行うことでリラクゼーション効果を相乗的に高めることができる。
【００３５】
また、図５に示すように筐体１０に風鈴１６を吊り下げることによって、送風機からの風を受けて風鈴１６を鳴動させるようにしても良く、芳香剤の香りに合わせて照明の光と音による演出を行うことで、リラクゼーション効果をさらに高めることができる。尚、空調機からの送風量に１／ｆゆらぎなどの変化を付けるようにすれば、風鈴１６が自然の風で鳴っているように感じせることができる。また、本実施形態では筐体１０に風鈴１６を取り付けているが、風を受けて鳴動する手段であれば風鈴以外のものを用いても良いことは言うまでもない。」（６頁）
　
　上記引用例１の記載及び図面並びにこの分野における技術常識を考慮すると、上記ロ．の【００３２】における「本実施形態では、実施形態１で説明した照明装置Ａにおいて、表面に複数の開口１４ａが形成され内部に芳香剤を収納する芳香剤収納部１４を筐体１０の上部に設けるとともに、エアーコンディショナー３０又は扇風機３１のような空調機から送風される空気の当たる場所に配置されるように筐体１０を空調機に取り付けるための取付具１５（取付手段）を設けている。」との記載、同ロ．の【００３５】における「図５に示すように筐体１０に風鈴１６を吊り下げることによって、送風機からの風を受けて風鈴１６を鳴動させるようにしても良く、芳香剤の香りに合わせて照明の光と音による演出を行うことで、リラクゼーション効果をさらに高めることができる。」との記載、及び図５によれば、照明装置（Ａ）は、扇風機（３１）の送風部に取り付けられている。そして、照明装置（Ａ）は、筐体（１０）及び芳香剤収納部（１４）と、筐体（１０）及び芳香剤収納部（１４）の上端に設けられ扇風機（３１）に固定可能な取付具（１５）と、筐体（１０）及び芳香剤収納部（１４）の下端に吊り下げられる風鈴（１６）と、からなる。
　また、図５によれば、前述の筐体（１０）及び芳香剤収納部（１４）並びに取付具（１５）は、風鈴（１６）を扇風機（３１）の正面に位置させていることが見て取れる。
　ここで、前述の風鈴（１６）は、振動して音を発生する発音部と、発音部を打撃して振動させる打撃部と、風を受けて打撃部を揺動させる風受け部とからなることは自明である。
　また、上記ロ．の【００３５】における「空調機からの送風量に１／ｆゆらぎなどの変化を付けるようにすれば、風鈴１６が自然の風で鳴っているように感じせることができる。」との記載、及び図５によれば、風鈴（１６）は、扇風機（３１）からの送風量の変化により前述の風受け部が受ける風力が変化することで風鈴（１６）の鳴る音が変化している。これを、方法として捉えれば、扇風機（３１）からの送風量の変化により前述の風受け部が受ける風力が変化することで風鈴（１６）の鳴る音が変化する方法ということができる。
　
　したがって、上記引用例１には、以下の発明（以下、「引用発明１」という。）が開示されているものと認められる。
　
　「扇風機（３１）の送風部に取り付ける照明装置（Ａ）であって、
筐体（１０）及び芳香剤収納部（１４）と、該筐体（１０）及び芳香剤収納部（１４）の上端に設けられ前記扇風機（３１）に固定可能な取付具（１５）と、前記筐体（１０）及び芳香剤収納部（１４）の下端に吊り下げられる風鈴（１６）と、からなり、
前記筐体（１０）及び芳香剤収納部（１４）並びに取付具（１５）が、風鈴（１６）を前記扇風機（３１）の正面に位置させることができ、
前記風鈴（１６）は、振動して音を発生する発音部と、当該発音部を打撃して振動させる打撃部と、風を受けて当該打撃部を揺動させる風受け部とからなり、
前記扇風機（３１）からの送風量の変化により前記風受け部が受ける風力が変化することで風鈴（１６）の鳴る音が変化する方法。」
　
Ｂ　原審の拒絶理由に引用された登録実用新案第３０４８６１２号公報（以下、「引用例２」という。）には、図面とともに以下の事項が記載されている。 
　
ハ．「【０００１】
    【考案の属する技術分野】
　本考案は、室内の壁やドア，或いは自動車のフロントグラス等の平滑な面に取付けて用いる装飾具に関する。
　　【０００２】
　　【従来の技術】
　室内や車内で楽しむ装飾品としては、床や家具上に載置するもの，天井など高所から垂下させるもの，壁面から延出させるもの等，多くの種類のものがある。
　　【０００３】
　　【考案が解決しようとする課題】
　これらの中には、壁面から延出させた棒や竿の先に装飾体を垂下させたものがあり、垂下した物体が風の流れを受けて揺れることがあるが、その動きは僅かであるばかりでなく，変化のある動きではない。
　　【０００４】
　また、壁面から棒や竿を延出させるためには、それらを固定するための特別な手段を講じなければならず、必然的に固定箇所が限定される。」（３頁）
　
ニ．「【０００７】
　図１に示すものは、前記のように上向きとしたピアノ線の先端に装飾品として風鈴を垂下させた本考案に係る装飾具を、自動車のフロントグラスの内面に取りつけた状態の斜視図である。ピアノ線は炭素含有量が多く強度と靱性に優れている硬鋼線であって、材料の粘り強さや外力によって破壊されにくい性質を有している。この上向きとしたピアノ線１の先端には風鈴２の頂部に取付具３を介して接続されているので、ピアノ線１は弾性により大きく撓んだ状態となっている。他端基部１０は吸着部材６に接続されており、後述の吸着部材６の吸着面７によりガラス面に密着固定されている。」（４頁）
　
ホ．「【００１０】
　風鈴２は釣鐘状のもので，その材質は、金属製・ガラス製を問わずどのようなものでも良い。振動が加わると、内部に垂下している玉４と内壁とが接触して音を発する。玉４の下方には一般の風鈴と同様に舌５が下がっていて、玉４の揺動を助ける。」（４頁）
　
　上記引用例２の記載及び図面並びにこの分野における技術常識を考慮すると、上記ニ．の【０００７】における「図１に示すものは、前記のように上向きとしたピアノ線の先端に装飾品として風鈴を垂下させた本考案に係る装飾具を、自動車のフロントグラスの内面に取りつけた状態の斜視図である。・・・この上向きとしたピアノ線１の先端には風鈴２の頂部に取付具３を介して接続されているので、ピアノ線１は弾性により大きく撓んだ状態となっている。他端基部１０は吸着部材６に接続されており、後述の吸着部材６の吸着面７によりガラス面に密着固定されている。」との記載、及び図１によれば、装飾具は、ピアノ線（１）と、ピアノ線（１）の一端に接続される吸着部材（６）と、ピアノ線（１）の他端に接続される風鈴（２）と、から構成される。ここで、ピアノ線（１）は、屈曲自在であることが読み取れる。
　
　したがって、上記引用例２には、以下の発明（以下、「引用発明２」という。）が開示されているものと認められる。
　
　風鈴（２）の取付手段として「屈曲自在なピアノ線（１）と、該ピアノ線（１）の一端に接続される吸着部材（６）と、前記ピアノ線（１）の他端に接続される風鈴（２）と、からなる技術。」
　
（３）対比・判断 
　補正後の発明と引用発明１とを対比する。 
ａ．引用発明１の「扇風機（３１）」と、補正後の発明の「エアコン」とは、いずれも、「特定の空調機」という点で一致する。
ｂ．引用発明１の「照明装置（Ａ）」と、補正後の発明の「風鈴」とは、いずれも、「特定の装置」という点で一致する。
ｃ．引用発明１の「取付具（１５）」及び「風鈴（１６）」は、補正後の発明の「取付部」及び「鈴部」とそれぞれいえるから、引用発明１の「筐体（１０）及び芳香剤収納部（１４）と、該筐体（１０）及び芳香剤収納部（１４）の上端に設けられ前記扇風機（３１）に固定可能な取付具（１５）と、前記筐体（１０）及び芳香剤収納部（１４）の下端に吊り下げられる風鈴（１６）」と、補正後の発明の「屈曲自在な腕部（１）と、該腕部（１）の一端に設けられ前記エアコンに固定可能な取付部（２）と、前記腕部（１）の他端に設けられる鈴部（３）」とは、いずれも、「特定の部材と、該特定の部材の一端に設けられ前記特定の空調機に固定可能な取付部と、前記特定の部材の他端に設けられる鈴部」という点で一致する。
ｄ．引用発明１の「前記筐体（１０）及び芳香剤収納部（１４）並びに取付具（１５）」と、補正後の発明の「前記腕部（１）」とは、いずれも、「特定の位置決め部材」という点で一致する。
ｅ．引用発明１の「前記扇風機（３１）からの送風量の変化により前記風受け部が受ける風力が変化することで風鈴（１６）の鳴る音が変化する」と、補正後の発明の「前記送風部（１２）からの送風の有無又は強弱により前記風受け部（６）が受ける風力が変化することで風鈴の鳴る音の有無又は変化にてエアコンの作動頻度又は作動の有無を判別する」とは、いずれも、「前記特定の空調機の送風部からの送風により前記風受け部が受ける風力が変化することで風鈴の鳴る音が変化する」という点で一致する。
　
 　したがって、補正後の発明と引用発明１は、以下の点で一致ないし相違している。 
 　 
（一致点） 
　「特定の空調機の送風部に取り付ける特定の装置であって、
特定の部材と、該特定の部材の一端に設けられ前記特定の空調機に固定可能な取付部と、前記特定の部材の他端に設けられる鈴部と、からなり、
特定の位置決め部材が、前記鈴部を前記送風部の正面に位置させることができ、
前記鈴部は、振動して音を発生する発音部と、当該発音部を打撃して振動させる打撃部と、風を受けて当該打撃部を揺動させる風受け部とからなり、
前記特定の空調機の送風部からの送風により前記風受け部が受ける風力が変化することで風鈴の鳴る音が変化する方法。」
　
（相違点１）
　「特定の空調機」に関し、
　補正後の発明は、「エアコン」であるのに対し、引用発明１は、「扇風機（３１）」である点。
　
（相違点２）
　「特定の装置」に関し、
　補正後の発明は、「風鈴」であるのに対し、引用発明１は、「照明装置（Ａ）」である点。
　
（相違点３）
　「特定の部材と、該特定の部材の一端に設けられ前記特定の空調機に固定可能な取付部と、前記特定の部材の他端に設けられる鈴部」の態様に関し、
　補正後の発明は、「屈曲自在な腕部（１）と、該腕部（１）の一端に設けられ前記エアコンに固定可能な取付部（２）と、前記腕部（１）の他端に設けられる鈴部（３）」であるのに対し、引用発明１は、「筐体（１０）及び芳香剤収納部（１４）と、該筐体（１０）及び芳香剤収納部（１４）の上端に設けられ前記扇風機（３１）に固定可能な取付具（１５）と、前記筐体（１０）及び芳香剤収納部（１４）の下端に吊り下げられる風鈴（１６）」である点。
　
（相違点４）
　「特定の位置決め部材」に関し、
　補正後の発明は、「前記腕部（１）」であるのに対し、引用発明１は、「前記筐体（１０）及び芳香剤収納部（１４）並びに取付具（１５）」である点。
　
（相違点５）
　「前記特定の空調機の送風部からの送風により前記風受け部が受ける風力が変化することで風鈴の鳴る音が変化する」に関し、
　補正後の発明は、「前記送風部（１２）からの送風の有無又は強弱により前記風受け部（６）が受ける風力が変化することで風鈴の鳴る音の有無又は変化にてエアコンの作動頻度又は作動の有無を判別する」のに対し、引用発明１は、「前記扇風機（３１）からの送風により前記風受け部が受ける風力が変化することで風鈴（１６）の鳴る音が変化する」点。
　
　そこで、まず、上記相違点１について検討する。 
　上記引用例１の上記ロ．の【００３２】における「エアーコンディショナー３０又は扇風機３１のような空調機から送風される空気の当たる場所に配置されるように筐体１０を空調機に取り付けるための取付具１５（取付手段）を設けている。」との記載、及び図４によれば、空調機は、エアーコンディショナー（３０）（エアコン）でもよいことが記載されている。
　そうすると、引用発明１の「扇風機（３１）」に換え、補正後の発明のように「エアコン」とすることに格別な困難性はない。
　
　次に、上記相違点２〜４について検討する。
　引用発明２に開示されているように、風鈴（２）の取付手段として「屈曲自在なピアノ線（１）と、該ピアノ線（１）の一端に接続される吸着部材（６）と、前記ピアノ線（１）の他端に接続される風鈴（２）と、からなる技術。」は、風鈴を揺動させ、また、屈曲自在な取付け手段であることは明らかである。
　そうすると、引用発明１は、「筐体（１０）及び芳香剤収納部（１４）と、該筐体（１０）及び芳香剤収納部（１４）の上端に設けられ前記扇風機（３１）に固定可能な取付具（１５）と、前記筐体（１０）及び芳香剤収納部（１４）の下端に吊り下げられる風鈴（１６）」であるところ、上記相違点１についての検討を踏まえ、また、エアコンに固定する取付部は、例えば、実用新案登録第３０９０２９７号公報の段落【００１４】、【００１５】における「・・・取付け部１は、上記の挟み型のクリップ以外の固定手段を採用して実施することも可能である。例えば、吸盤などを取付け部１に採用して実施することも可能である。」との記載や、図４に開示されているように適宜選択できるものであるから、引用発明２に接した当業者であれば、風鈴の取り付け手段として、引用発明２を採用し、補正後の発明のように「屈曲自在な腕部（１）と、該腕部（１）の一端に設けられ前記エアコンに固定可能な取付部（２）と、前記腕部（１）の他端に設けられる鈴部（３）」とすること（相違点３）は容易になし得ることである。その際、風鈴として捉えれば、引用発明１の「筐体（１０）及び芳香剤収納部（１４）」を省くことは自然なことであるから、「特定の装置」に関し、「風鈴」となること（相違点２）、また、「特定の位置決め部材」に関し、「腕部（１）」となること（相違点４）は当然である。
　
　次に、上記相違点５について検討する。
　上記引用例１の上記ロ．の【００３５】における「空調機からの送風量に１／ｆゆらぎなどの変化を付けるようにすれば、風鈴１６が自然の風で鳴っているように感じせることができる。」との記載、及び図５によれば、引用発明１の「扇風機（３１）からの送風量の変化」は、扇風機の作動頻度又は作動の有無（作動状態）を表すものであり、また、風鈴の風受け部の受ける風量の変化は、風鈴の鳴る音の有無又は変化によって人に感じさせる、すなわち音を介して知らせるものであるといえる。そして、その音の有無又は強弱を知覚した者が、音（の変化）−風量（の変化）−扇風機の作動状態（の変化）と結びつけてとらえることはごく普通であるから、補正後の発明のように「前記送風部（１２）からの送風の有無又は強弱により前記風受け部（６）が受ける風力が変化することで風鈴の鳴る音の有無又は変化にてエアコンの作動頻度又は作動の有無を判別する」ことは格別のことではない。
　
　そして、補正後の発明の作用効果も、引用発明１及び２から当業者が容易に予測できる範囲のものである。 
 　 
　以上のとおり、補正後の発明は引用発明１及び２に基づいて容易に発明できたものであるから、特許法第２９条第２項の規定により、特許出願の際独立して特許を受けることができないものである。 
 　 
４．結語 
　したがって、本件補正は、特許法第１７条の２第６項において準用する同法第１２６条第７項の規定に違反するので、同法第１５９条第１項において読み替えて準用する同法第５３条第１項の規定により却下すべきものである。  
 　 
第３　本願発明について 
１．本願発明 
　平成２５年３月７日付けの手続補正は上記のとおり却下されたので、本願発明は、上記「第２　補正却下の決定　１．本願発明と補正後の発明」の項で「本願発明」として認定したとおりである。 
　 
２．引用発明 
　引用発明は、上記「第２　補正却下の決定」の項中の「３．独立特許要件について」の項中の「（２）引用発明」の項で認定したとおりである。 
 　 
３．対比・判断 
　本願発明は上記補正後の発明から当該本件補正に係る限定を省いたものである。 
　そうすると、本願発明の構成に当該本件補正に係る限定を付加した補正後の発明が、上記「第２　補正却下の決定」の項中の「３．独立特許要件について」の項で検討したとおり、引用発明１及び２に基づいて容易に発明できたものであるから、本願発明も同様の理由により、容易に発明できたものである。 
　 
４．むすび 
　以上のとおり、本願発明は、引用発明１及び２に基づいて当業者が容易に発明をすることができたものであるから、特許法第２９条第２項の規定により特許を受けることができない。 
　
　よって、結論のとおり審決する。